(57)【要約】【課題】骨折治療用プレートを橈骨に止める骨ピン又は骨ネジの緩みを防止する。【解決手段】橈骨（６）の幹部に当てられる幹板部と、橈骨の遠位端部（６ａ）に当てられる頭板部（５ａ）とを備え、幹板部と頭板部の各々に骨ネジ又は骨ピンを挿入するための複数個の貫通穴が形成された骨折治療用プレートにおいて、頭板部側の貫通穴（９，１０）は、橈骨の遠位端部の軟骨下骨（６ｃ）に沿うように二列にわたって設けられ、そのうち遠位側列の貫通穴（９）には、単軸型の骨ネジ又は骨ピン（７）の頭部（７ａ）に形成された雄ネジが螺合する雌ネジが形成され、近位側列の貫通穴（１０）には、多軸型の骨ネジ又は骨ピン（８）を所望の向きで固定する固定手段が設けられ、遠位側列の所望の貫通穴に挿入された単軸型の骨ネジ又は骨ピンが軟骨下骨に当接し、かつ近位側列の所望の貫通穴に挿入された多軸型の骨ネジ又は骨ピンが軟骨下骨に当接した状態で固定手段によって多軸型の骨ネジ又は骨ピンが固定されるようにした。【選択図】図２
2014036746.tif 000002
【特許請求の範囲】
【請求項１】
橈骨の幹部に当てられる幹板部と、橈骨の遠位端部に当てられる頭板部とを備え、上記幹板部と上記頭板部の各々に骨ネジ又は骨ピンを挿入するための複数個の貫通穴が形成された骨折治療用プレートにおいて、上記頭板部側の貫通穴は、橈骨の遠位端部の軟骨下骨に沿うように二列にわたって設けられ、そのうち遠位側列の貫通穴には、単軸型の骨ネジ又は骨ピンの頭部に形成された雄ネジが螺合する雌ネジが形成され、近位側列の貫通穴には、多軸型の骨ネジ又は骨ピンを所望の向きで固定する固定手段が設けられ、上記遠位側列の所望の貫通穴に挿入された単軸型の骨ネジ又は骨ピンが上記軟骨下骨に当接し、かつ上記近位側列の所望の貫通穴に挿入された多軸型の骨ネジ又は骨ピンが上記軟骨下骨に当接した状態で上記固定手段によって多軸型の骨ネジ又は骨ピンが固定されるようにしたことを特徴とする骨折治療用プレート。
【請求項２】
請求項１に記載の骨折治療用プレートにおいて、上記固定手段は、多軸型の骨ネジ又は骨ピンの基端に設けられた球面体と、この球面体を受け止める上記貫通穴内に形成された凹状座面と、上記球面体を上記凹状座面側に押圧して固定する固定具とを具備したことを特徴とする骨折治療用プレート。
【請求項３】
請求項１に記載の骨折治療用プレートにおいて、上記固定手段は、上記貫通穴内に形成された凹状座面と、この凹状座面内に挿入され、中心軸に雌ネジ穴が形成された球面体と、多軸型の骨ネジ又は骨ピンの基端に設けられ、上記雌ネジ穴の雌ネジと螺合して上記球面体を拡径させ上記凹状座面に密着させる雄ネジ軸とを具備したことを特徴とする骨折治療用プレート。
【発明の詳細な説明】
【技術分野】
【０００１】
本発明は、橈骨の遠位端部に生じた骨折を治療するための骨折治療用プレートに関する。
【背景技術】
【０００２】
従来、橈骨における遠位端部の骨折の治療に、骨折治療用プレートが用いられている。この骨折治療用プレートは、橈骨の幹部に当てられる幹板部と、橈骨の遠位端部に当てられる頭板部とを備えており、幹板部と頭板部のそれぞれに骨ネジ又は骨ピンを挿入するための貫通穴が形成されている。
【０００３】
例えば、橈骨の遠位端部の骨折を治療する場合は、骨折線を跨ぐように骨折治療用プレートの頭板部と幹板部が橈骨の遠位端部と幹部に各々当てられ、貫通穴に骨ネジや骨ピンが通されて橈骨に埋め込まれ、これにより、骨折治療用プレートを介して遠位端部の骨断片が幹部に固定される（例えば、特許文献１、２、３参照。）。
【先行技術文献】
【特許文献】
【０００４】
【特許文献１】特表２０００−５１２１８６号公報
【特許文献２】特表２０１０−５３６４２７号公報
【特許文献３】特開２０１１−５１４１９６号公報
【発明の概要】
【発明が解決しようとする課題】
【０００５】
骨折治療用プレートの貫通穴が単なる丸穴である場合は、骨ネジを多軸型として用いることができるが、骨ネジや骨ピンを貫通穴から骨に挿入して固定した後、骨に無理な力が加わると、骨ネジや骨ピンが緩んだり、ズレたりするおそれがある（例えば、特許文献１参照。）。
【０００６】
また、骨折治療用プレートの貫通穴と骨ネジや骨ピンの頭部とを球形にし、この球面にネジを形成した場合は、骨ネジ又は骨ピンを多軸型として用いることができるが、ネジ部の結合力が比較的弱いので、骨に無理な力が加わると骨ネジ又は骨ピンが緩んだり、傾いたりするおそれがある（例えば、特許文献２参照。）。
【０００７】
さらに、骨折治療用プレートの貫通穴内に球形の座面を形成し、この座面内に球形のナットを入れ、ナットに骨ネジ又は骨ピンの頭部のネジ軸をねじ込むようにした場合も、骨ネジ又は骨ピンを多軸型として用いることができるが、骨ネジ又は骨ピンのすべてにこの結合手段を採用した場合には、骨に無理な力が加わると骨ネジ又は骨ピンが緩んだり、傾いたりするおそれがある（例えば、特許文献３参照。）。
【０００８】
すなわち、図８のごとく骨折治療用プレート１を橈骨２の遠位端側骨折部に取り付けた後に、骨ピン３，４又は骨ネジに緩みやズレが生じると、橈骨の遠位端部には矢印で示す方向に筋力等による外力Ｆが作用していることから、骨折部における骨片２ａ，２ｂが橈骨の幹部２ｃ側に落ち込み、骨折が正常に治癒しなくなるおそれがある。
【課題を解決するための手段】
【０００９】
上記課題を解決するため、本発明は次のような構成を採用する。
【００１０】
なお、本発明の理解を容易にするため図面の参照符号を括弧書きで付するが、本発明はこれに限定されるものではない。
【００１１】
すなわち、請求項１に係る発明は、橈骨（６）の幹部（６ｂ）に当てられる幹板部（５ｂ）と、橈骨（６）の遠位端部（６ａ）に当てられる頭板部（５ａ）とを備え、上記幹板部（５ｂ）と上記頭板部（５ａ）の各々に骨ネジ又は骨ピンを挿入するための複数個の貫通穴が形成された骨折治療用プレートにおいて、上記頭板部（５ａ）側の貫通穴（９，１０）は、橈骨（６）の遠位端部（６ａ）の軟骨下骨（６ｃ）に沿うように二列にわたって設けられ、そのうち遠位側列の貫通穴（９）には、単軸型の骨ネジ又は骨ピン（７）の頭部（７ａ）に形成された雄ネジが螺合する雌ネジ（９ａ）が形成され、近位側列の貫通穴（１０）には、多軸型の骨ネジ又は骨ピン（８）を所望の向きで固定する固定手段が設けられ、上記遠位側列の所望の貫通穴（９）に挿入された単軸型の骨ネジ又は骨ピン（７）が上記軟骨下骨（６ｃ）に当接し、かつ上記近位側列の所望の貫通穴（１０）に挿入された多軸型の骨ネジ又は骨ピン（８）が上記軟骨下骨（６ｃ）に当接した状態で上記固定手段によって多軸型の骨ネジ又は骨ピン（８）が固定されるようにした骨折治療用プレート（５）を採用する。
【００１２】
請求項２に記載されるように、請求項１に記載の骨折治療用プレート（５）において、上記固定手段は、多軸型の骨ネジ又は骨ピン（８）の基端に設けられた球面体（８ａ）と、この球面体（８ａ）を受け止める上記貫通穴（１０）内に形成された凹状座面（１０ａ）と、上記球面体（８ａ）を上記凹状座面（１０ａ）側に押圧して固定する固定具（１３）とを具備したものとすることができる。
【００１３】
請求項３に記載されるように、請求項１に記載の骨折治療用プレート（５）において、上記固定手段は、上記貫通穴（１０）内に形成された凹状座面（１０ａ）と、この凹状座面（１０ａ）内に挿入され、中心軸に雌ネジ穴（１５）が形成された球面体（８ａ）と、多軸型の骨ネジ又は骨ピンの基端（８）に設けられ、上記雌ネジ穴（１５）の雌ネジと螺合して上記球面体（８ａ）を拡径させ上記凹状座面（１０ａ）に密着させる雄ネジ軸（２１）とを具備したものとすることができる。
【発明の効果】
【００１４】
骨折治療用プレート（５）に連結された骨ピン（７，８）又は骨ネジが緩み難く、遠位側列の所望の貫通穴（９）に挿入された単軸型の骨ピン（７）又は骨ネジが橈骨（６）の軟骨下骨（６ｃ）に当接し、かつ近位側列の所望の貫通穴（１０）に挿入された多軸型の骨ピン（８）又は骨ネジが軟骨下骨（６ｃ）の上記単軸型の骨ピン（７）又は骨ネジが当接する箇所とは異なる箇所に当接した状態が術後長期にわたり維持される。従って、橈骨（６）の遠位端部（６ａ）における骨片の幹部（６ｂ）側への落ち込みが確実に防止され、橈骨（６）の遠位端部（６ａ）の骨折治療が適正に行われることとなる。
【図面の簡単な説明】
【００１５】
【図１】本発明の実施の形態１に係る骨折治療用プレートを橈骨の骨折部に取り付けた状態を示す平面図である。
【図２】図１中、ＩＩ−ＩＩ線矢視図である。
【図３】図１中、ＩＩＩ−ＩＩＩ線矢視図である。
【図４】（Ａ）は骨折治療用プレートの平面図、（Ｂ）は底面図である。
【図５】図２中、Ｖ部分の拡大図である。
【図６】図２中、ＶＩ部分の拡大図である。
【図７】本発明の実施の形態２に係る骨折治療用プレートの部分切欠図である。
【図８】骨ネジ又は骨ピンのズレ、緩み等により橈骨の遠位端側骨折部における骨片が頭骨の幹部側に落ち込んだ状態を示す説明図である。
【発明を実施するための形態】
【００１６】
以下、図面を参照して本発明の実施の形態について説明する。
【００１７】
＜実施の形態１＞
図１に示すように、この骨折治療用プレート５は、左手の橈骨６における遠位端部６ａの骨折を治療するために用いられる。
【００１８】
なお、図１中、符号１１は尺骨を示す。
【００１９】
図１及び図４（Ａ）（Ｂ）に示すように、この骨折治療用プレート５は、橈骨６の遠位端部６ａに当てられる頭板部５ａと、橈骨６の幹部６ｂに掌側から当てられる幹板部５ｂとを備える。
【００２０】
骨折治療用プレート５は全体として一枚の薄い金属板で形成され、頭板部５ａと幹板部５ｂは略Ｔ字形を呈するように連なる。金属材料としては骨の弾性係数に近い例えば純チタンやチタン合金が使用される。
【００２１】
骨折治療用プレート５は、図１に示すように、骨折線Ａを跨ぐように橈骨６に当てられ、図５及び図６に示すような骨ピン７，８によって橈骨６に固定される。骨ピン７，８は骨折の箇所、状態等によって図示しない骨ネジで代替される場合もある。骨ピン７，８と骨ネジは骨折の箇所、状態等によって適宜選択使用される。このように骨折治療用プレート５が骨ピン７，８や骨ネジによって橈骨６に固定されることにより、橈骨６の遠位端部６ａにおける破断した骨片同士が繋ぎ合わせられるとともに、これら骨片が橈骨６の幹部６ｂに連結される。
【００２２】
図１及び図４（Ａ）（Ｂ）に示すように、上記頭板部５ａには、上記骨ピン７，８又は骨ネジを通すための貫通穴９，１０が、頭板部５ａの先端辺に沿うように二列にわたって設けられる。頭板部５ａの先端辺は、図１に示すように、橈骨６の遠位端部６ａの軟骨下骨６ｃに沿うように伸びている。そのため、図２に示すように、貫通穴９，１０に挿入した骨ピン７，８又は骨ネジもこの軟骨下骨６ｃに沿うように伸びる。
【００２３】
図５に示すように、貫通穴９，１０の列のうち遠位側列の貫通穴９には、雌ネジ９ａが形成される。雌ネジ９ａの螺旋の軸心は、図２に示すように、骨折治療用プレート５が橈骨６に当てられた際に、軟骨下骨６ｃの湾曲面に接し得るように伸びる。
【００２４】
骨ピン７は単軸型であって頭部７ａと軸部７ｂとを具備し、様々な長さの軸部７ｂを備えたものが用意される。単軸型の骨ピン７における各々の頭部７ａには上記雌ネジ９ａと螺合する雄ネジが形成され、各々の軸部７ｂの表面は平滑面とされる。貫通穴９によっては単軸型の骨ピン７に代えて図示しない単軸型の骨ネジが使用される場合もあるが、この単軸型の骨ネジの軸部の表面にはタッピング用の雄ネジが形成される。
【００２５】
上記骨ピン７又は骨ネジが貫通穴９内に挿入され、頭部７ａの雄ネジが貫通穴９内の雌ネジ９ａと螺合すると、図２に示すように、軸部７ｂの表面の平滑面又は雄ネジが軟骨下骨６ｃに接触する。この単軸型の骨ピン７又は骨ネジはその頭部７ａが骨折治療用プレート５の貫通穴９と強固にネジ結合されていることから、術後に緩んだり、ズレたりすることがなく、従って、図８のような骨片２ａ，２ｂの落ち込み等が防止される。
【００２６】
また、上記二列の貫通穴９，１０のうち、近位側列の貫通穴１０には、多軸型の骨ネジ８又は骨ピンを所望の向きで固定する固定手段が設けられる。
【００２７】
図６に示すように、この固定手段は、多軸型の骨ピン８又は骨ネジの基端に設けられた球面体８ａと、この球面体８ａを受け止める上記貫通穴１０内に形成された凹状座面１０ａと、球面体８ａを凹状座面１０ａ側に押圧して固定する固定具１３とを具備する。
【００２８】
球面体８ａは骨ピン８又は骨ネジの軸部８ｂと一体的に設けられる。球面体８ａの頂部には、骨ピン８又は骨ネジを回転操作する際に図示しない工具を係止するための係止溝１４が形成される。係止溝１４は六角孔、八角孔、星型孔等の角孔として形成される。
【００２９】
凹状座面１０ａは、貫通穴１０内における骨折治療用プレート５の裏面側に寄った箇所に設けられる。凹状座面１０ａは球面体８ａに合致する球面を有するものであるのが望ましいが、すり鉢状の斜面であってもよい。貫通穴１０内における凹状座面１０ａに隣接したプレート表面側の箇所には、固定具１３が埋設される雌ネジ穴１５が設けられる。
【００３０】
固定具１３は、外周面に雄ネジを有したナットとして形成される。固定具１３の内側端面には、上記球面体８ａに合致する球状凹面１３ａが形成される。固定具１３の反対側の端面には、上記係止溝１４と同様な係止溝１６が形成される。
【００３１】
多軸型の骨ピン８又は骨ネジの軸部８ｂが貫通穴１０内に通され、球面体８ａが凹状座面１０ａに接触し、図２のごとく軸部８ｂが軟骨下骨６ｃに接する方向に設定されると、固定具１３が貫通穴１０内の雌ネジ穴１５内に捩じ込まれる。この捩じ込みにより固定具１３の雄ネジが雌ネジ穴１５の雌ネジと強固に螺合し、固定具１３の球状凹面１３ａが球面体８ａに密着すると、多軸型の骨ピン８又は骨ネジが定位置に強固に固定される。
【００３２】
かくて単軸型の骨ピン７又は骨ネジと多軸型の骨ピン８又は骨ネジは、図２及び図３のような配置状態で橈骨６の遠位端部６ａ内の軟骨下骨６ｃに接触し、図８のごとき骨片２ａ，２ｂの落ち込みを防止する。
【００３３】
その他、図１及び図４（Ａ）（Ｂ）に示すように、頭板部５ａにおける遠位側列の貫通穴９の近傍には、必要に応じて複数個の仮止め孔１７が設けられる。仮止め孔１７に図示しない仮止めピンが挿入され、橈骨６の遠位端部６ａに突き立てられることにより、骨折治療用プレート５が橈骨６の遠位端部６ａに仮止めされる。
【００３４】
仮止め孔１７を利用することにより、骨ピン７，８又は骨ネジの装着に先立ち遠位端部６ａの骨片を骨折治療用プレート５に仮止めすることができるので、骨ピン７，８又は骨ネジを簡易かつ正確に装着することができる。仮止めピンは、仮止め孔１７に挿入可能な釘様の細長い棒材である。
【００３５】
また、図１及び図４（Ａ）（Ｂ）に示すように、骨折治療用プレート５の幹板部５ｂにも貫通穴１８，１９が設けられる。これらの貫通穴１８，１９を通して骨ネジ２０又は骨ピンが橈骨６の幹部６ｂに挿入されると、骨折治療用プレート５の幹板部５ｂが橈骨６に固定される。これらの貫通穴１８，１９及びこれらの貫通穴１８，１９に通される骨ピン又は骨ネジは従来のものと同様な構成であるから、その詳しい説明は省略する。
【００３６】
次に、上記構成の骨折治療用プレートの作用の一例について説明する。
【００３７】
図１に示すように、左手の橈骨６が骨折し、遠位端部６ａが幹部６ｂから分断され、しかも骨片に分断されたものとする。
【００３８】
まず、術者によって左手の掌を上にして手首近傍が切開され、露出した橈骨６に向かって図４（Ａ）（Ｂ）に示す骨折治療用プレート５が差し込まれ、骨折治療用プレート５の頭板部５ａが橈骨６の骨折線Ａを跨ぐように遠位端部６ａに当てられ、幹板部５ｂが幹部６ｂに当てられる。
【００３９】
次いで、ドリル等の穿孔具（図示せず）で橈骨６の幹部６ｂに下穴があけられ、貫通穴１８，１９を通して骨ネジ２０又は骨ピンが下穴に緩めにねじ込まれる。これにより、骨折治療用プレート５が橈骨６の幹部６ｂに仮止めされる。
【００４０】
続いて、骨折治療用プレート５の頭板部５ａの遠位側列における貫通穴９の雌ネジ９ａに筒状のガイド（図示せず）がねじ込まれて固定され、このガイドからドリル等の穿孔具（図示せず）が通され、橈骨６の遠位端部６ａに貫通穴９の貫通方向に下穴が形成される。この下孔は図２に示す軟骨下骨６ｃに接するように形成される。
【００４１】
単軸型の骨ピン７又は骨ネジが適宜選別され、この貫通穴９を通して遠位端部６ａに単軸型の骨ピン７又は骨ネジが下孔内へと突き立てられる。そして、図５に示すように、それらの頭部７ａの雄ネジが貫通穴９の雌ネジ９ａに螺入される。
【００４２】
これにより、橈骨６の遠位端部６ａが骨折治療用プレート５に固定される。また、骨ピン７又は骨ネジの頭部７ａの雄ネジと貫通穴９の雌ネジ９ａとの螺合を介して骨折治療用プレート５に固定された単軸型の骨ピン７又は骨ネジの軸部７ｂの表面が遠位端部６ａ内の軟骨下骨６ｃに接触することから、骨ピン７又は骨ネジが術後に緩んだり、傾いたりすることがなく、上記接触状態が保たれる。従って、図８のような骨片２ａ，２ｂの落ち込み等が防止される。
【００４３】
また、骨折治療用プレート５の頭板部５ａの近位側列における貫通穴１０からドリル等の穿孔具（図示せず）が所望の向きに通され、遠位端部６ａの骨片へと下穴が形成される。この下孔は、図２に示すように、上記下孔とは異なる方向から軟骨下骨２ｃに接するように形成される。
【００４４】
多軸型の骨ピン８又は骨ネジが適宜選別され、この貫通穴１０を通して遠位端部６ａに多軸型の骨ピン８又は骨ネジが下孔内へと突き立てられる。そして、図６に示すように、固定具１３が貫通穴１０内に螺入され、骨ピン８又は骨ネジの基端の球面体８ａが凹状座面１０ａに押し付けられる。
【００４５】
これにより、遠位端部６ａが骨折治療用プレート５に固定されると同時に、骨折治療用プレート５に固定された多軸型の骨ピン８又は骨ネジの軸部８ｂの表面が軟骨下骨６ｃに図２のごとく接触する。この多軸型の骨ピン８又は骨ネジは、その球面体８ａが貫通穴１０内の凹状座面１０ａと固定具１３の球状凹面１３ａとによって強く加圧され固定されていることから、術後に緩んだり、傾いたりすることがなく、従って、図８のような骨片２ａ，２ｂの落ち込み等が防止される。
【００４６】
その後、橈骨６の幹部６ｂ側に仮止めされた骨ネジ２０又は骨ピンが締め付けられる。
【００４７】
かくて、図１に示すように、橈骨６の遠位端部６ａと幹部６ｂが骨折治療用プレート５を介して一体的に固定され、遠位側列の所望の貫通穴９に挿入された単軸型の骨ピン７又は骨ネジが軟骨下骨６ｃに当接し、かつ近位側列の所望の貫通穴１０に挿入された多軸型の骨ピン８又は骨ネジが軟骨下骨６ｃの上記単軸型の骨ピン７又は骨ネジが当接する箇所とは異なる箇所に当接した状態が保持される。
【００４８】
＜実施の形態２＞
図７に示すように、この実施の形態２では実施の形態１の場合とは異なる多軸型の骨ピン又は骨ネジの固定手段が用いられる。
【００４９】
すなわち、実施の形態２の固定手段は、貫通穴１０内に形成された凹状座面１０ａと、この凹状座面１０ａ内に挿入され、中心軸に雌ネジ穴１５が形成された球面体８ａと、多軸型の骨ピン８又は骨ネジの基端に設けられ、雌ネジ穴１５の雌ネジと螺合して球面体８ａを拡径させ凹状座面１０ａに密着させる雄ネジ軸２１とを具備する。
【００５０】
凹状座面１０ａの凹面は、図示例のごとく球面に形成される。
【００５１】
球面体８ａは、例えば合成樹脂等の比較的やわらかい材料で作られ、その弾性変形によって凹状座面１０ａ内に嵌め込まれる。
【００５２】
雄ネジ軸２１の雄ネジは、その外径が雌ネジ穴１５の雌ネジの外径よりもやや大きくなるように形成される。また、雄ネジ軸２１の頂部には、骨ピン８又は骨ネジを回転操作する際に図示しない工具を係止するための係止溝２１ａが形成される。係止溝２１ａは六角孔、八角孔、星型孔等の角孔として形成される。
【００５３】
この固定手段の作用は次の通りである。
【００５４】
骨折治療用プレート５の頭板部５ａの近位側列における貫通穴１０からドリル等の穿孔具（図示せず）が所望の向きに通され、遠位端部６ａの骨片へと下穴が形成される。この下孔は、図２に示すように、貫通穴９における下孔とは異なる方向から軟骨下骨６ｃに接するように形成される。
【００５５】
多軸型の骨ピン８又は骨ネジが適宜選別され、この貫通穴１０を通して遠位端部６ａに多軸型の骨ピン８又は骨ネジが下孔内へと突き立てられる。そして、雄ネジ軸２１の係止溝２１ａに図示しない工具が差し込まれ、骨ピン８又は骨ネジが回され、雄ネジ軸２１が球面体８ａの雌ネジ穴１５に捩じ込まれる。上述のごとく雄ネジ軸２１は雌ネジ穴１５よりも若干大径であることから、雄ネジ軸２１の螺進により球面体８ａが凹状座面１０ａ内で拡径し、凹状座面１０ａに密着する。
【００５６】
これにより、遠位端部６ａが骨折治療用プレート５に固定されると同時に、多軸型の骨ピン８又は骨ネジの軸部の表面が軟骨下骨６ｃに図２のごとく接触する。この多軸型の骨ピン８又は骨ネジは、その軸部８ｂが貫通穴１０内の球面体８ａと凹状座面１０ａとの密着によって強く固定されていることから、術後に緩んだり、傾いたりすることがなく、従って、図８のような骨片の落ち込み等が防止される。
【００５７】
その他、この実施の形態２において実施の形態１における部分と同じ部分には同じ符号を用いて図示することとし、その詳細な説明は省略する。
【００５８】
なお、上記各実施の形態では左手の橈骨の骨折治療用プレートを例にとって説明したが、本発明は右手の橈骨の骨折治療用プレートにも適用可能である。また、橈骨に掌側から当てる骨折治療用プレートを例にとって説明したが、本発明は甲側から当てる骨折治療用プレートにも適用可能である。
【符号の説明】
【００５９】
５…骨折治療用プレート
５ａ…頭板部
５ｂ…幹板部
６…橈骨
６ａ…遠位端部
６ｂ…幹部
６ｃ…軟骨下骨
７…単軸型の骨ピン
７ａ…頭部
８…多軸型の骨ピン
８ａ…球面体
９，１０…貫通穴
９ａ…雌ネジ
１０ａ…凹状座面
１３…固定具
１５…雌ネジ穴
２１…雄ネジ軸
【図１】
2014036746.tif 000003
【図２】
2014036746.tif 000004
【図３】
2014036746.tif 000005
【図４】
2014036746.tif 000006
【図５】
2014036746.tif 000007
【図６】
2014036746.tif 000008
【図７】
2014036746.tif 000009
【図８】
2014036746.tif 000010